(57)【要約】【課題】  通信リソースを有効利用しつつ速やかに適切な路路間通信を行うことができる無線通信システムを提供する。【解決手段】  本発明の無線通信システムは、複数の路側通信機２を備えている。複数の路側通信機２は、互いの路路間通信パケットを送受信することで、中継可能に路路間通信を行う通信処理装置２５を備えている。通信処理装置２５は、路路間通信において自機が送信すべき複数の路路間通信パケットそれぞれの送信優先度に基づいて、各路路間通信パケットを送信する。また、通信処理装置２５は、各路路間通信パケットの送信元及び送信先に応じて、各路路間通信パケットそれぞれの送信優先度を決定する。【選択図】図８
2014078119.tif 000002
【特許請求の範囲】
【請求項１】
複数の路側通信機を備えた無線通信システムであって、
前記複数の路側通信機は、互いの送信データを中継可能に路路間通信を行う通信制御部を備え、
前記通信制御部は、前記路路間通信において自機が送信すべき複数の送信データそれぞれの送信優先度に基づいて、前記複数の送信データを送信するとともに、
前記複数の送信データの送信元及び送信先に応じて、前記複数の送信データそれぞれの送信優先度を決定することを特徴とする無線通信システム。
【請求項２】
前記通信制御部は、前記複数の送信データそれぞれの自機における送信待機時間に応じて、前記送信優先度を調整する請求項１に記載の無線通信システム。
【請求項３】
前記通信制御部は、前記複数の送信データそれぞれに予め設定された属性に応じて、前記送信優先度を調整する請求項１又は２に記載の無線通信システム。
【請求項４】
前記複数の路側通信機は、一般の交差点よりも重要度が高い重要交差点に配置された重要路側通信機を含んでおり、
前記通信制御部は、送信データの前記送信元及び前記送信先の少なくとも一方が、前記重要路側通信機である場合、前記送信元及び前記送信先のいずれもが前記重要路側通信機でない場合よりも、その送信データが優先的に送信されるように前記送信優先度を設定する請求項１〜３のいずれか一項に記載の無線通信システム。
【請求項５】
前記複数の路側通信機は、当該複数の路側通信機を管理する管理装置に有線通信可能に接続されている管理路側通信機を含んでおり、
前記通信制御部は、送信データの前記送信元及び前記送信先の少なくとも一方が、前記管理路側通信機である場合、前記送信元及び前記送信先のいずれもが前記管理路側通信機でない場合よりも、その送信データが優先的に送信されるように前記送信優先度を設定する請求項１〜３のいずれか一項に記載の無線通信システム。
【請求項６】
前記通信制御部は、車載通信機に向けてデータ送信するための路車間通信用のタイムスロットを用いて、前記路路間通信において送信すべき送信データを送信する請求項１〜５のいずれか一項に記載の無線通信システム。
【請求項７】
前記通信制御部は、受信したデータが、路側通信機と車載通信機との間で行われる路車間通信のデータであるか、前記路路間通信の送信データであるかを判別する処理を行い、前記路路間通信の送信データであると判別されたデータについて、前記送信優先度を決定し送信する請求項１〜６のいずれか一項に記載の無線通信システム。
【請求項８】
他の路側通信機との間で、送信データを中継可能に路路間通信を行う通信制御部を備え、
前記通信制御部は、前記路路間通信において自機が送信すべき複数の送信データそれぞれの送信優先度に基づいて、前記複数の送信データを送信するとともに、
前記複数の送信データの送信元及び送信先に応じて、前記複数のデータそれぞれの送信優先度を決定することを特徴とする路側通信機。
【請求項９】
他の路側通信機との間で、送信データを中継可能に路路間通信を行う通信制御装置であって、
前記路路間通信において自装置が送信すべき複数の送信データそれぞれの送信優先度に基づいて、前記複数の送信データを送信するとともに、
前記複数の送信データの送信元及び送信先に応じて、前記複数のデータそれぞれの送信優先度を決定することを特徴とする通信制御装置。
【請求項１０】
コンピュータを、請求項９記載の通信処理装置として機能させるためのコンピュータプログラム。
【請求項１１】
他の路側通信機との間で、送信データを中継可能に路路間通信を行う通信方法であって、
前記路路間通信において自装置が送信すべき複数の送信データの送信元及び送信先に応じて、前記複数のデータそれぞれの送信優先度を決定するステップと、
前記複数の送信データそれぞれの送信優先度に基づいて、前記複数の送信データを送信するステップとを含むことを特徴とする通信方法。
【発明の詳細な説明】
【技術分野】
【０００１】
本発明は、例えば、高度道路交通システム（ＩＴＳ：Intelligent Transport System）の構成要素として好適に用いることができる無線通信システム等に関する。
【背景技術】
【０００２】
近年、交通安全の促進や交通事故の防止を目的として、移動体（車両等）が道路に設置されたインフラ装置からの情報を受信し、或いは車両同士で情報交換を行い、これらの情報を活用することで車両走行の安全性を向上させる高度道路交通システムが検討されている（例えば、特許文献１参照）。
かかる高度道路交通システムにおいて用いられる無線通信システムは、主として、インフラ側の無線通信装置である複数の路側通信機と、各車両に搭載される無線通信装置である複数の車載通信機（移動通信機）とによって構成される。
【０００３】
この場合、各通信主体間で行う通信の組み合わせには、路側通信機と車載通信機とが行う路車（又は車路）間通信、及び、車載通信機同士が行う車車間通信のほか、路側通信機同士が行う路路間通信が含まれることになる（例えば、特許文献２参照）。
【先行技術文献】
【特許文献】
【０００４】
【特許文献１】特許第２８０６８０１号公報
【特許文献２】特開２０１１−１１４６４７号公報
【発明の概要】
【発明が解決しようとする課題】
【０００５】
上記高度道路交通システムにおいては、車車間通信をはじめ、路車間通信や路路間通信及び路歩間通信も含め、これらの各通信の共存を図るに当たって、限られた周波数帯域内で路路間、路車間及び車車間の各通信を行うために、無線リソースを時間領域で分割して路側通信機の送信専用の時間帯と、車載通信機の送信専用の時間帯とを区切ることで時間スロットを設ける、時分割多重（ＴＤＭＡ：Time Division Multiple Access）によるマルチアクセス方式を採用している。
【０００６】
この内、車車間通信における通信方式については、各車載通信機が自律的にルーティングを行うアドホックネットワークによる通信について検討がなされている。
また、道路上に配置される車両感知器や監視カメラ等によるセンサネットワークについては、ＺｉｇＢｅｅ（登録商標）ネットワークによる通信が検討されている。ただし、前記センサ等は、省電力送信により常時送信可能な状態ではないため、経路探索が必要な場合は、車車間通信と同様、アドホックネットワーク等によって経路探索を行うことになる。
【０００７】
一方、路路間通信においても、上述のアドホックネットワークプロトコルを採用することが考えられるが、この場合、固定配置され移動することがほとんどないノードとしての路側通信機に対して経路探索を行うとすると、遅延が発生するばかりか、経路管理のために通信リソースを無駄に消費することとなる。
このため、上述のアドホックネットワークルーティングを採用することは、通信リソースの有効利用の観点からは好ましくない。
【０００８】
さらに、路路間通信においては、各路側通信機の属性や設置位置、あるいは送信データの属性に応じて、早急に送信しなければならないデータや、さほど緊急性の高くない送信データ等、送信データの優先度が異なる種々のデータが送受信される。このため、アドホックネットワークルーティングによって、その都度経路探索したとすると、探索毎に経路が異なるおそれがあり、経路上の路側通信機の属性や、設置位置等を送信データの優先度に反映することが困難となり、適切な送信を行うことが困難となる。
【０００９】
本発明はこのような事情に鑑みてなされたものであり、通信リソースを有効利用しつつ速やかに適切な路路間通信を行うことができる無線通信システム、及びこれに用いる路側通信機、通信制御装置、コンピュータプログラム、通信方法を提供することを目的とする。
【課題を解決するための手段】
【００１０】
（１）上記目的を達成するための本発明は、複数の路側通信機を備えた無線通信システムであって、前記複数の路側通信機は、互いの送信データを中継可能に路路間通信を行う通信制御部を備え、前記通信制御部は、前記路路間通信において自機が送信すべき複数の送信データそれぞれの送信優先度に基づいて、前記複数の送信データを送信するとともに、
前記複数の送信データの送信元及び送信先に応じて、前記複数の送信データそれぞれの送信優先度を決定することを特徴としている。
【００１１】
上記構成の無線通信システムによれば、送信データの送信元及び送信先に応じて、前記複数の送信データそれぞれの送信優先度を決定するので、送信元及び送信先の組み合わせ及びこれらに対応する適切な送信優先度を記憶しておけば、経路探索することなく速やかに通信経路を特定でき、各通信経路に応じた適切な送信優先度を設定することができる。この結果、経路探索のための遅延や、経路管理のための通信リソースの消費を抑制することができ、通信リソースを有効利用しつつ速やかに適切な路路間通信を行うことができる。
【００１２】
（２）上記無線通信システムにおいて、他の送信データの送信優先度との関係によって送信機会を逃し、送信待ちの待機状態となった送信データについては、より優先して送信する必要がある。
このため、前記通信制御部は、前記複数の送信データそれぞれの自機における送信待機時間に応じて、前記送信優先度を調整するものであることが好ましい。
【００１３】
（３）また、上記無線通信システムにおいて、前記通信制御部は、前記複数の送信データそれぞれに予め設定された属性に応じて、前記送信優先度を調整するものであってもよい。
この場合、属性として、そのデータの緊急度や重要度を設定すれば、緊急度や重要度に応じて、送信優先度を調整することができる。
【００１４】
（４）前記複数の路側通信機が、一般の交差点よりも重要度が高い重要交差点に配置された重要路側通信機を含んでいる場合、前記通信制御部は、送信データの前記送信元及び前記送信先の少なくとも一方が、前記重要路側通信機である場合、前記送信元及び前記送信先のいずれもが前記重要路側通信機でない場合よりも、その送信データが優先的に送信されるように前記送信優先度を設定することが好ましい。
この場合、重要路側通信機に関連して送信される重要度の高い送信データを、他の送信データよりも優先的に送信することができる。
【００１５】
（５）また、前記複数の路側通信機が、当該複数の路側通信機を管理する管理装置に有線通信可能に接続されている管理路側通信機を含んでいる場合、前記通信制御部は、送信データの前記送信元及び前記送信先の少なくとも一方が、前記管理路側通信機である場合、前記送信元及び前記送信先のいずれもが前記管理路側通信機でない場合よりも、その送信データが優先的に送信されるように前記送信優先度を設定することが好ましい。
この場合、管理路側通信機が、複数の路側通信機の管理に関する送信データを送信する場合にも、他の送信データよりも優先的に送信することができる。
【００１６】
（６）上記無線通信システムにおいて、前記通信制御部は、車載通信機に向けてデータ送信するための路車間通信用のタイムスロットを用いて、前記路路間通信において送信すべき送信データを送信するものであることが好ましい。
この場合、路車間通信用のタイムスロットを用いることで、路路間通信の送信データを効率的に送信することができる。
【００１７】
（７）前記通信制御部は、受信したデータが、路側通信機と車載通信機との間で行われる路車間通信のデータであるか、前記路路間通信の送信データであるかを判別する処理を行い、前記路路間通信の送信データであると判別されたデータについて、前記送信優先度を決定し送信するものであってもよい。
【００１８】
（８）また、本発明の路側通信機は、他の路側通信機との間で、送信データを中継可能に路路間通信を行う通信制御部を備え、前記通信制御部は、前記路路間通信において自機が送信すべき複数の送信データそれぞれの送信優先度に基づいて、前記複数の送信データを送信するとともに、前記複数の送信データの送信元及び送信先に応じて、前記複数のデータそれぞれの送信優先度を決定することを特徴としている。
【００１９】
（９）本発明は、他の路側通信機との間で、送信データを中継可能に路路間通信を行う通信制御装置であって、前記路路間通信において自装置が送信すべき複数の送信データそれぞれの送信優先度に基づいて、前記複数の送信データを送信するとともに、前記複数の送信データの送信元及び送信先に応じて、前記複数のデータそれぞれの送信優先度を決定することを特徴としている。
【００２０】
（１０）また、本発明は、コンピュータを、上記（９）の通信処理装置として機能させるためのコンピュータプログラムである。
【００２１】
（１１）本発明は、他の路側通信機との間で、送信データを中継可能に路路間通信を行う通信方法であって、前記路路間通信において自装置が送信すべき複数の送信データの送信元及び送信先に応じて、前記複数のデータそれぞれの送信優先度を決定するステップと、前記複数の送信データそれぞれの送信優先度に基づいて、前記複数の送信データを送信するステップとを含むことを特徴としている。
【００２２】
上記（８）〜（１１）によれば、通信リソースを有効利用しつつ速やかに適切な路路間通信を行うことができる。
【発明の効果】
【００２３】
本発明によれば、通信リソースを有効利用しつつ速やかに適切な路路間通信を行うことができる。
【図面の簡単な説明】
【００２４】
【図１】高度道路交通システムの実施の一形態を示す概略斜視図である。
【図２】本システムにおける各路側通信機２の通信接続の態様を示す図である。
【図３】路側通信機の構成を示すブロック図である。
【図４】（ａ）はフレームを示し、（ｂ）はフレーム中のスロットの構造（一部）と割り当て方を示す図である。
【図５】各交差点のスロット割り当てを示す図である。
【図６】（ａ）は、第１スロットを用いて路路間通信のパケットを送信する際の態様を示した図であり、（ｂ）は、第１スロットを用いて路路間通信のパケットを送信する際の他の態様を示した図である。
【図７】路路間通信のパケットの構造を示す図である。
【図８】各路側通信機における無線接続の関係の一例を示す図である。
【図９】各路側通信機の通信処理装置が実行する路路間通信パケットの送信処理の手順を示したフローチャートである。
【図１０】路側通信機の通信処理装置による、路路間通信パケット生成処理の手順を示したフローチャートである。
【図１１】優先度演算処理の手順を示したフローチャートである。
【図１２】路側通信機の通信処理装置による、受信処理の手順を示したフローチャートである。
【発明を実施するための形態】
【００２５】
以下、本発明の好ましい実施形態について図面を参照しながら説明する。
〔１．  システムの全体構成〕
図１は、本発明の一実施形態に係る高度道路交通システム（ＩＴＳ）の全体構成を示す概略斜視図である。なお、本実施形態では、道路構造の一例として、南北方向と東西方向の複数の道路が互いに交差した碁盤目構造を想定している。
図１に示すように、本実施形態の高度道路交通システムは、交通信号機１、路側通信機（無線機）２、車載通信機（無線機）３（図３参照）、中央装置４、車載通信機３を搭載した車両５、及び、車両感知器や監視カメラ等よりなる路側センサ６を含む。
【００２６】
交通信号機１と路側通信機２は、複数の交差点Ａ１〜Ａ５，Ｂ１〜Ｂ５、Ｃ１〜Ｃ５，Ｄ１〜Ｄ５，Ｅ１〜Ｅ５のそれぞれに設置されている。交通信号機１と一部の路側通信機２は、電話回線等の有線通信回線７を介してルータ８に接続されている。このルータ８は交通管制センター内の中央装置４に接続されている。
中央装置４は、自身が管轄するエリアの交通信号機１及び路側通信機２とＬＡＮ（Local Area Network）を構成している。なお、中央装置４は、交通管制センターではなく道路上に設置してもよい。
【００２７】
路側センサ６は、各交差点に流入する車両台数をカウントする等の目的で、管轄エリア内の道路の各所に設置されている。この路側センサ６は、直下を通行する車両５を超音波感知する車両感知器、或いは、道路の交通状況を時系列に撮影する監視カメラ等よりなり、感知情報や画像データは通信回線７を介して中央装置４に送信される。
なお、図１では、図示を簡略化するために、各交差点に信号灯器が１つだけ描写されているが、実際の各交差点には、互いに交差する道路の上り下り用として少なくとも４つの信号灯器が設置されている。
【００２８】
高度道路交通システムにおいて、無線通信システムを構成する、複数の交差点それぞれに設置された複数の路側通信機（無線機）２は、その周囲を走行する車両の車載通信機３との間で無線通信（路車間通信）が可能である。
また、各路側通信機２は、自己の送信波が到達する所定範囲内に位置する他の路側通信機２とも無線通信（路路間通信）が可能である。
また、同じく無線通信システムを構成する車載通信機（無線機）３は、路側通信機２との間で無線通信を行うとともに、キャリアセンス方式で他の車載通信機３と無線通信（車車間通信）が可能である。
【００２９】
中央装置４に有線通信回線７で接続されている交通信号機１及び路側通信機２（オンライン路側通信機２ａ）は、中央装置４の管轄するエリアに含まれる全ての路側通信機２のうちの一部であり、中央装置４に対して有線通信回線７で接続されていない路側通信機２（スタンドアローン路側通信機２ｂ）も存在する。
図１では、交差点Ａ３，Ｂ３，Ｃ３，Ｄ３，Ｅ３に設置された路側通信機２が、オンライン路側通信機２ａであり、他の交差点に設置された路側通信機２は、スタンドアローン路側通信機２ｂである。
【００３０】
図１中、交差点Ａ３，Ｂ３，Ｃ３，Ｄ３，Ｅ３は、重要交差点であり、オンライン路側通信機２ａは、主に重要交差点に設置される。なお、重要交差点とは、幹線道路が交わるような交差点で交通量が最も多い等、交通流の改善や事故防止に対して大きく影響を及ぼす交差点をいう。
【００３１】
スタンドアローン路側通信機２ｂは、他の路側通信機２との間で無線通信を行い、管理情報等、システムとして必要な情報の交換を行う。
スタンドアローン路側通信機２ｂは、前記エリア内に複数設けられているサブエリアのいずれかに属している。
サブエリアとは、少なくとも１機のオンライン路側通信機２ａと、このオンライン路側通信機２ａに無線接続するスタンドアローン路側通信機２ｂとを含んで構成されているエリアである。
図１において、交差点Ａ３に設置されているオンライン路側通信機２ａには、交差点Ａ１，Ａ２，Ａ４，Ａ５に設置されている４機のスタンドアローン路側通信機２ｂが無線通信によって接続されており、交差点Ａ１〜Ａ５に設置されている路側通信機２群は、１つのサブエリアを構成している。
【００３２】
図２は、本システムにおける各路側通信機２の通信接続の態様を示す図である。図に示すように、各オンライン路側通信機２ａは、有線通信回線７や、ルータ、通信処理装置等の下位装置を介して中央装置４に接続されている。スタンドアローン路側通信機２ｂは、無線通信による路路間通信によってオンライン路側通信機２ａと通信可能に接続されている。また、１機のオンライン路側通信機２ａに対して、複数機（図例では４機）のスタンドアローン路側通信機２ｂが接続されている。
本システムでは、１機のオンライン路側通信機２ａに対して、複数機のスタンドアローン路側通信機２ｂを接続することで、サブエリアを構成し、さらにこのサブエリアを複数並べることで、エリア全体の制御を行っている。
【００３３】
図１に戻って、他の路側通信機２も同様に、交差点Ｂ１〜Ｂ５に設置されている５機の路側通信機２群、交差点Ｃ１〜Ｃ５に設置されている５機の路側通信機２群、交差点Ｄ１〜Ｄ５に設置されている５機の路側通信機２群、及び交差点Ｅ１〜Ｅ５に設置されている５機の路側通信機２群は、それぞれサブエリアを構成している。
【００３４】
図３は、路側通信機２の構成を示すブロック図である。図３に示すように、スタンドアローン路側通信機２ｂは、無線通信のためのアンテナ２０が接続された無線通信部（送受信部）２１と、通信制御処理を行う通信処理装置２５とを備えている。
通信処理装置２５は、制御部２３と、必要な情報を記憶する記憶部２４と、を備えている。制御部２３は、無線通信及び有線通信の通信制御処理を行う。記憶部２４は、無線通信及び優先通信のために必要な情報を記憶する。
有線通信回線７を介して中央装置４と接続されているオンライン路側通信機２ａは、さらに、有線通信回線７を介して中央装置４と通信するための有線通信部２２を備えている。
【００３５】
通信処理装置２５は、その機能の一部又は全部が、ハードウェア回路によって構成されていてもよいし、その機能の一部又は全部が、コンピュータプログラムによって実現されていてもよい。通信処理装置２５の機能の一部又は全部がコンピュータプログラムによって実現される場合、通信処理装置２５（制御部２３）は、コンピュータを含み、コンピュータによって実行されるコンピュータプログラムは、記憶部２４に記憶される。
【００３６】
〔２．  無線通信の方式等〕
図４（ａ）は、無線通信システムにおいて用いられる無線フレームを示している。この無線フレームは、その時間軸方向の長さ（フレーム長）が１００ミリ秒に設定されている。つまり、１秒間に１０フレームが発生する。
フレームは、例えば、路側通信機２が有するＧＰＳ受信機（図示省略）によって受信したＧＰＳ信号に含まれる１ＰＰＳ（１秒周期の信号）に基づいて生成される。
【００３７】
図４（ｂ）は、一つの無線フレーム内部の構造（一部）を示している。図４（ｂ）に示すように、一つの無線フレームは、第１スロットＳＬ１と、第２スロットＳＬ２とを含んで構成されている。
第１スロットＳＬ１は、路側通信機２に割り当てられる路車間通信用のタイムスロット（路車間通信期間）であり、この時間帯においては、路側通信機２による無線送信が許容される。
一方、第２スロットＳＬ２は、車載通信機３用のタイムスロット（車用通信期間）であり、この時間帯は車載通信機３による無線送信用として開放するため、路側通信機２は第２スロットＳＬ２では無線送信を行わない。
【００３８】
無線フレームに含まれている第１スロットＳＬ１と、第２スロットＳＬ２とは、時間軸方向に交互に配置されている。
第１スロットＳＬ１には、それぞれスロット番号ｉが付されている。
【００３９】
路側通信機２には、無線フレームに含まれる複数の第１スロットＳＬ１（例えば、１６個の第１スロット）の内の一つ又は複数の第１スロットＳＬ１が割り当てられる。路側通信機２はスロット番号ｉによっていずれの第１スロットＳＬ１が自機に割り当てられるかを認識する。
一つの路側通信機２に対して、無線フレームに含まれる複数の第１スロットＳＬ１の内の一つのスロットを割り当てる場合、例えば、無線フレームに含まれるｉ＝１の第１スロットＳＬ１には、交差点Ａ２，Ｂ５，Ｃ３，Ｄ１の路側通信機２に割り当てられ、ｉ＝２の第１スロットＳＬ１には、交差点Ａ３，Ｂ１，Ｃ４，Ｄ２の路側通信機２に割り当てられ、ｉ＝３の第１スロットＳＬ１には、交差点Ａ４，Ｂ２，Ｃ５，Ｄ３の路側通信機２に割り当てられ、ｉ＝４の第１スロットＳＬ１には、交差点Ａ５，Ｂ３，Ｃ１，Ｄ４の路側通信機２に割り当てられ、ｉ＝５の第１スロットＳＬ１には、交差点Ａ１，Ｂ４，Ｃ２，Ｄ５の路側通信機２に割り当てられる。
【００４０】
複数の路側通信機２は、路車間通信において、路側通信機２同士で互いに干渉が生じないことから同じスロット（送信期間）を同時に使用することができる路側通信機２のグループに分けることができる。図４（ｂ）では、交差点Ａ２，Ｂ５，Ｃ３，Ｄ１の路側通信機２、交差点Ａ３，Ｂ１，Ｃ４，Ｄ２の路側通信機２、交差点Ａ４，Ｂ２，Ｃ５，Ｄ３の路側通信機２、交差点Ａ５，Ｂ３，Ｃ１，Ｄ４の路側通信機２、及び交差点Ａ１，Ｂ４，Ｃ２，Ｄ５の路側通信機２の５つのグループに分けられる。
同一のグループに属する路側通信機２が、同一の送信期間を用いて送信したとしても、干渉は生じないので、これらグループ毎に異なる送信期間を割り当てることで干渉が防止される。
【００４１】
なお、このグループそれぞれに異なるように割り当てられる送信期間を時間チャネルともいう。この時間チャネルの数は、同一の送信期間を使用することができる路側通信機２のグループの数と同じである。
図４（ｂ）では、各時間チャネル（時間チャネル番号Ｃｈ１〜Ｃｈ５）それぞれに、異なる第１スロットＳＬ１（ｉ＝１〜５）が割り当てられている。
【００４２】
図５は、図１に示す複数の路側通信機２に対する、図４に従った時間チャネルの割り当て方を示している。図５において、各交差点の丸内の数字は、時間チャネル番号を示している。各路側通信機２は、自機２に割り当てられた時間チャネル番号の第１スロットＳＬ１において、路車間通信を行う。
【００４３】
隣接する交差点の路側通信機２に対して同一の第１スロットＳＬ１が割り当てられていると、隣接する交差点間にいる車両５は、双方の路側通信機２からの路車間通信の電波を受け、干渉が生じる。しかし、図５のように、同一の第１スロットＳＬ１を分散させて割り当てることで、各路側通信機２による路車間通信の際の干渉を防止できる。
【００４４】
〔３．  路路間通信によるデータの送信〕
路側通信機２の通信処理装置２５は、自機２に割り当てられた第１スロットＳＬ１において、車両５（車載通信機３）に対して路車間通信及び路路間通信に関するデータをパケット化し、無線通信部２１から無線送信させる制御を行う。
【００４５】
第１スロットＳＬ１は、路側通信機２による路車間通信の送信のため必要と想定される最大の送信時間が確保されている。また、第１スロットＳＬ１の長さは固定である。
【００４６】
一方、第１スロットＳＬ１において、路側通信機２から車両５の車載通信機３へ向けてブロードキャスト送信される路車間通信パケット（路車間通信のデータ）のデータ長（データ量）は、可変である。したがって、路車間通信のパケットのデータ長が、一つの第１スロットＳＬ１において送信可能な最大データ長よりも小さければ、第１スロットＳＬ１において路車間通信のパケットを送信しても、当該第１スロットＳＬ１には空き時間が生じることになる。
【００４７】
図６（ａ）は、第１スロットＳＬ１を用いて路路間通信のパケットを送信する際の態様を示した図である。
通信処理装置２５は、図６（ａ）に示すように、第１スロットＳＬ１において、路車間通信のパケットを送信した際の余った空き時間を利用して、路路間通信のパケット（路路間通信の送信データ）を送信する。これにより、路路間通信のための専用のタイムスロットを設ける必要がなく、路車間通信のデータ量が少ないときに、路路間通信が行え、路路間通信パケットを効率的に送信することができる。
【００４８】
図６（ｂ）は、第１スロットＳＬ１を用いて路路間通信のパケットを送信する際の他の態様を示した図である。通信処理装置２５は、図６（ｂ）に示すように、路路間通信のための第１スロットＳＬ１を確保し、この第１スロットＳＬ１を用いて路路間通信のパケットを送信することもできる。
【００４９】
図７は、路路間通信のパケットの構造を示す図である。路路間通信のパケットは、プリアンブル、ヘッダ、及びデータ本体を備えている。
ヘッダは、送信元ＩＤや、送信先ＩＤ、転送元ＩＤ、データ種別などの情報が格納される領域を有している。
データ本体は、路側通信機２の保守情報又は災害情報など、他の路側通信機２に対して、知らせたい情報が格納される領域である。
送信元ＩＤは、路路間通信パケットを生成して最初に送信した路側通信機２を示すＩＤである。送信先ＩＤは、路路間通信パケットの最終的な宛先となる路側通信機２を示すＩＤである。転送元ＩＤは、送信元ＩＤから送信先ＩＤへの路路間通信パケットを転送（中継）した路側通信機２を示すＩＤである。送信元の路側通信機２は、中継することなく路路間通信パケットを送信先に送信する場合、送信元ＩＤに自機のＩＤを格納するとともに、転送元ＩＤにも自機のＩＤを格納する。
【００５０】
本実施形態において、各路側通信機２は、後述するように、自機が無線接続すべき路側通信機２を示すＩＤ、及び、自機が関連する通信経路情報としてその経路の送信元、送信先、転送先それぞれの路側通信機２を示すＩＤを記憶している。よって、各路側通信機２は、ヘッダに格納されている送信元ＩＤ、送信先ＩＤ、及び転送元ＩＤを参照することで、自機が受信、又は中継すべきパケットであるか否かを判定することができる。
【００５１】
データ種別は、データ本体に格納されている情報の属性を示す属性情報が格納されている。例えば、本実施形態では、属性として緊急度を示す情報が格納されている。通常運用がなされている場合に送信されるような情報に対しては、属性情報として「平常」が対応付けられている。この場合、データ種別には、「平常」が格納される。
一方、災害や、交通事故等の発生を報知するための情報や、このような異常な事態に対応するために各路側通信機２間で共有しなければならない情報等に対しては、属性情報として「緊急」対応付けられている。この場合、データ種別には、「緊急」が格納される。
【００５２】
本システムでは、各路側通信機２の間で路路間通信パケットを送信するための通信経路を予め設定し、各路側通信機２の通信処理装置２５は、その通信経路にしたがって、自機が生成した路路間通信パケットの送信や、他の路側通信機２が送信元及び送信先である路路間通信パケットの中継送信といった送信処理を行うように構成されている。
以下に、各路側通信機２による通信経路の設定について説明する。
【００５３】
図８は、各路側通信機２における無線接続の関係の一例を示す図である。図８においては、図１中、交差点Ａ１〜Ａ５に設置されたサブエリアを構成している５機の路側通信機２の関係を示している。
これら各路側通信機２には、ＩＤが割り当てられている。交差点Ａ１に設置されている路側通信機２から、交差点Ａ５に設置されている路側通信機２まで、順番にＩＤ＝１００〜１０４が割り当てられている。
【００５４】
ＩＤ＝１０２の路側通信機２は、交差点Ａ３に設置されたオンライン路側通信機２ａである。それ以外の路側通信機２は、スタンドアローン路側通信機２ｂである。
これら各路側通信機２は、交差点Ａ３に設置されたオンライン路側通信機２ａを中心に、ＩＤ順に並べられたときに隣り合う路側通信機２同士で無線接続するように構成されている。各路側通信機２は、これら無線接続に基づいて通信経路が設定され、サブエリア内でネットワークを構成している。
なお、以下の説明では、ＩＤ＝１００，１０１，１０２の各路側通信機２に着目して説明する。
【００５５】
ＩＤ＝１００，１０１，１０２の各路側通信機２によって構成される通信経路は、図８に示すように、６つ存在しており、各通信経路を「送信元ＩＤ−送信先ＩＤ」で示している。また、各通信経路には、送信の際にいずれのパケットを先に送信するかを決定するための相対的な優先順位が設定されている。
オンライン路側通信機２ａが送信元となる２つの経路１０２−１０１、及び経路１０２−１００は、管理に関する情報等、システムとして必要な情報を各スタンドアローン路側通信機２ｂに送信するために用いられるため、各通信経路に対する相対的な送信の優先順位は、最も優先される大きい数値である「３」に設定されている。
【００５６】
また、オンライン路側通信機２ａが送信先となっている経路１００−１０２、及び経路１０１−１０２も、管理等のシステムに必要な情報の送信に用いられるため、その優先順位は、経路１０２−１０１、及び経路１０２−１００の次に優先される数値である「２」に設定されている。
スタンドアローン路側通信機２ｂ同士の通信経路である経路１００−１０１、及び経路１０１−１００の優先順位は、他の通信経路と比較して最も低い「１」に設定されている。このように、各通信経路には、３段階の優先順位が設定されている。
【００５７】
なお、本実施形態では、主として、通信経路にオンライン路側通信機２ａが関連しているか否かによって、各通信経路の相対的な優先順位を設定したが、この優先順位については、送信元から送信先までの距離や、中継される回数に応じて設定することもできる。
この場合、送信元から送信先までの距離が長い場合や、中継回数が比較的多い場合には、送信元から送信先にパケットが到達するまでに遅延が生じるおそれがあり、その遅延の影響を抑制することができる。
【００５８】
各路側通信機２は、自機のＩＤ、自機が無線接続すべき路側通信機２のＩＤ、自機が送信に関連する通信経路情報、及び通信経路の優先順位を示す情報を記憶部２４（図３）に記憶している。
【００５９】
図８中の破線内には、ＩＤ＝１００，１０１，１０２の各路側通信機２が記憶している上記各情報が示されている。
［ＩＤ］は、自機のＩＤを示している。［ＣＯＮＮＥＣＴＥＤＴＯ］は、自機が直接無線接続すべき路側通信機２のＩＤを示している。［ＲＲ−ＧＥＮ−ＤＥＳＴ］は、自機が送信に関連する通信経路情報、及びその通信経路によってパケットを送信する際の優先順位を示すパラメータの値を示している。
【００６０】
交差点Ａ１に設置されているスタンドアローン路側通信機２ｂが記憶している各情報をみると、［ＩＤ］としては、自機のＩＤである「１００」が記憶されている。［ＣＯＮＮＥＣＴＥＤＴＯ］としては、「１０１」が記憶されている。これは、ＩＤ＝１００のスタンドアローン路側通信機２ｂがＩＤ＝１０１の路側通信機２と直接無線接続すべきことを示している。また、［ＣＯＮＮＥＣＴＥＤＴＯ］として記憶されている「１０１」は、下記の［ＲＲ−ＧＥＮ−ＤＥＳＴ］の内容から、転送元の路側通信機のＩＤであることを認識することができる。
［ＲＲ−ＧＥＮ−ＤＥＳＴ］としては、「１００−１０２（２），１００−１０１（１）」が記憶されている。これら数値は、ＩＤ＝１００のスタンドアローン路側通信機２ｂが送信に関連する通信経路を上記同様、「送信元ＩＤ−送信先ＩＤ」で示している。これに付記されている括弧内の数値は、その通信経路の自機における優先順位を示すパラメータ（優先度パラメータＰｇｄ）の値であり、各通信経路に対応付けられている。
【００６１】
経路１００−１０２と、経路１００−１０１との間の相対的な優先順位は、上述のように、ＩＤ＝１０２に関連している経路１００−１０２の方が高く設定されている。よって経路１００−１０２の優先度パラメータＰｇｄの値は、経路１００−１０１の「１」に対して、より優先順位が高いことを示す「２」とされている。
【００６２】
交差点Ａ２に設置されているスタンドアローン路側通信機２ｂが記憶している各情報をみると、［ＩＤ］としては、自機のＩＤ「１０１」が記憶されている。［ＣＯＮＮＥＣＴＥＤＴＯ］としては、「１００，１０２」が記憶されており、ＩＤ＝１０１のスタンドアローン路側通信機２ｂがＩＤ＝１００，１０２の路側通信機２と直接無線接続すべきことを示している。
［ＲＲ−ＧＥＮ−ＤＥＳＴ］としては、「１００−１０２（２），１０１−１００（１），１０１−１０２（２），１０２−１００（３）」が記憶されている。
これら各経路の中で、経路１０２−１００の優先順位が最も高いので、優先度パラメータＰｇｄの値は「３」とされている。次いで、優先順位の高い経路１００−１０２、及び経路１０１−１０２の優先度パラメータＰｇｄの値は、「２」とされている。スタンドアローン路側通信機２ｂ間の通信経路である経路１０１−１００の優先度パラメータＰｇｄの値は、最も優先順位が低いことを示す「１」とされている。
【００６３】
交差点Ａ３に設置されているオンライン路側通信機２ａが記憶している各情報をみると、［ＩＤ］としては、自機のＩＤ「１０２」が記憶されている。［ＣＯＮＮＥＣＴＥＤＴＯ］としては、「１０３，１０１」が記憶されており、オンライン路側通信機２ａがＩＤ＝１０３，１０１の路側通信機２と直接無線接続すべきことを示している。また、［ＣＯＮＮＥＣＴＥＤＴＯ］として記憶されている「１０１」（「１０３」）は、下記の［ＲＲ−ＧＥＮ−ＤＥＳＴ］の内容から、転送元の路側通信機のＩＤであることを認識することができる。
［ＲＲ−ＧＥＮ−ＤＥＳＴ］としては、「１０２−１００（１），１０２−１０１（１），１０２−１０３（１），１０２−１０４（１）」が記憶されている。
オンライン路側通信機２ａが送信元となる通信経路は、いずれの通信経路も各経路の中で最も優先順位が高い。よって、オンライン路側通信機２ａが送信に関連する各通信経路は、全て相対的には同じ優先順位（優先順位「３」）なので、各通信経路の優先度パラメータＰｇｄの値は全て同じ数値である「１」とされている。
【００６４】
各路側通信機２の通信処理装置２５は、これら情報にしたがって路路間通信パケットの送信処理を行う。
【００６５】
〔４．  路側通信機２の送信制御について〕
〔４．１  送信処理について〕
各路側通信機２の通信処理装置２５は、上述の予め設定された通信経路にしたがって、自機が生成した路路間通信パケットを送信する処理を行う。また、通信処理装置２５は、自機が受信した、他の路側通信機２が送信先である路路間通信パケットを前記通信経路にしたがって中継送信する処理を行う。
【００６６】
各路側通信機２の通信処理装置２５は、自機に割り当てられた第１スロットＳＬ１を用いて、自機のパケット送信や、他の路側通信機２が送信先である路路間通信パケットの中継送信といった送信処理を行う。
自機に割り当てられた第１スロットＳＬ１（送信期間）は、無線フレーム内で限られているため（「一般社団法人電波産業会、”７００ＭＨｚ帯高度道路交通システム  ＡＲＩＢ−ＳＴＤ Ｔ１０９ １．０版“」には、任意の１００ｍｓ間における送信時間の総和が１０．５ｍｓ以下と規定されている）、その送信機会は制限される。
このため、各路側通信機２の通信処理装置２５は、１回の送信機会に対して送信すべき路路間通信パケットが複数となる場合には、各路路間通信パケットそれぞれについての優先度に基づいて、各路路間通信パケットを送信する。
【００６７】
各路路間通信パケットの送信に関する優先度（送信優先度ＲＲ）は、下記式（１）によって求められる。
送信優先度ＲＲ  ＝
優先度パラメータＰｇｄ  ＋待機パラメータ  Ｐｔ  ＋  属性パラメータＰｄａｔａ 
・・・（１）
【００６８】
各路側通信機２の通信処理装置２５は、自機が生成した路路間通信パケット、及び自機が受信して他の路側通信機２に中継送信する路路間通信パケットについて、上記送信優先度ＲＲを求め決定する。
【００６９】
上記式（１）中、優先度パラメータＰｇｄは、送信優先度ＲＲを求める対象の路路間通信パケットの通信経路に付与された優先順位を示す値であり、上述したように、各路側通信機２は、各通信経路に対応した適切な値を記憶している。各路側通信機２は、対象の路路間通信パケットの送信元及び送信先から通信経路を特定し、特定した通信経路に対応する優先度パラメータＰｇｄを取得する。
待機パラメータＰｔは、送信優先度ＲＲを求める対象の路路間通信パケットがどの程度送信待ちの待機状態を継続しているかを示す値である。待機パラメータＰｔは、後述するように、送信元としての路側通信機２が路路間通信パケットを生成したとき、又は中継送信すべく他の路側通信機２から受信したときに初期値として「０」に設定される。
属性パラメータＰｄａｔａは、データ種別に格納される属性情報に応じて設定される値である。
【００７０】
通信処理装置２５は、自機が送信すべき路路間通信パケットごとに、上記各パラメータを記憶しており、必要に応じてその数値を調整し、送信優先度ＲＲを求める。
【００７１】
図９は、各路側通信機２の通信処理装置２５が実行する路路間通信パケットの送信処理の手順を示したフローチャートである。
通信処理装置２５は、まず、自機において送信待ち状態の路路間通信パケット（自機が送信すべき路路間通信パケット）の有無を判定する（ステップＳ１）。送信待ち状態の路路間通信パケットが無い場合、通信処理装置２５は、処理を終える。
【００７２】
ステップＳ１において、送信待ち状態の路路間通信パケットが有ると判定した場合、通信処理装置２５は、次に訪れる送信機会である自機に割り当てられた第１スロットＳＬ１に、送信待ち状態の路路間通信パケットをスケジューリングする（ステップＳ２）。
このとき、通信処理装置２５は、予め求めていた各路路間通信パケットの送信優先度ＲＲに応じてスケジューリングする。
通信処理装置２５は、例えば、送信優先度ＲＲの値が大きいものから順番にスケジューリングする。これによって、送信優先度ＲＲの値が大きい路路間通信パケットは、優先的に送信される。なお、送信優先度ＲＲが互いに同一の路路間通信パケットの場合、先に路路間通信パケットとして送信準備が完了したものから順にスケジューリングする。
【００７３】
また、１回の送信機会ではリソース不足等によって送信できない路路間通信パケットが生じることがある。そこで、通信処理装置２５は、送信されなかった路路間通信パケットの有無を判断する（ステップＳ３）。
ステップＳ３において、送信されなかった路路間通信パケットが無いと判断すると、通信処理装置２５は、処理を終える。
一方、送信されなかった路路間通信パケットが有ると判断すると、通信処理装置２５は、送信されなかった路路間通信パケットそれぞれの待機パラメータＰｔに対して増分値ΔＰｔとして例えば「０．５」を加える（ステップＳ４）。
【００７４】
このように、通信処理装置２５は、一度送信機会を逃した路路間通信パケットの待機パラメータＰｔに増分値ΔＰｔを加えることで、当該路路間通信パケットの送信優先度ＲＲの値を増加させる。これによって、送信機会を逃した路路間通信パケットは、後の送信機会において他の路路間通信パケットに対して、より優先して送信されることになる。
【００７５】
つまり、本実施形態において、他の路路間通信パケットの送信優先度ＲＲとの関係によって送信機会を逃し、送信待ちの待機状態となった送信優先度ＲＲについては、より優先して送信する必要がある。このため、通信処理装置２５は、路路間通信パケットそれぞれの自機における送信待機時間に応じて、送信優先度ＲＲを調整する。
【００７６】
なお、その後さらに送信されずに待機状態を継続すると、さらに増分値ΔＰｔが追加されるので、送信待ちの待機状態が継続すればするほど送信優先度ＲＲの値が大きくなる。この結果、送信されずに長期間に亘って待機状態になる路路間通信パケットが生じるのを抑制することができる。
【００７７】
次いで、送信されなかった路路間通信パケットを次に訪れる送信機会となる第１スロットＳＬ１に対するスケジューリングを行うまで、送信待ちの待機状態とし（ステップＳ５）、再度処理を繰り返す。
【００７８】
このように、通信処理装置２５は、自機が送信すべき路路間通信パケットそれぞれの送信優先度ＲＲに基づいて、路路間通信パケットを送信する。
各路側通信機２は、上述の送信処理において、自機が生成した路路間通信パケットと、を送信する場合と、他の路側通信機２が送信元及び送信先である路路間通信パケットを中継送信する場合とがある。
以下、各路側通信機２の通信処理装置２５が、路路間通信パケットの送信元として路路間通信パケットを生成する際の処理について説明する。
【００７９】
〔４．２  路路間通信パケットの生成処理〕
図１０は、路側通信機２の通信処理装置２５による、路路間通信パケット生成処理の手順を示したフローチャートである。
通信処理装置２５は、路路間通信データを送信することを決定すると（ステップＳ１０１）、その送信先、及びデータ種別を特定する（ステップＳ１０２）。
次いで、通信処理装置２５は、データ本体に送信先に対して通知すべき情報を格納し、また特定した送信先、及びデータ種別に関する情報をヘッダの所定領域に格納した路路間通信パケットを生成する（ステップＳ１０３）。
【００８０】
路路間通信パケットを生成した通信処理装置２５は、この生成した路路間通信パケットについての送信優先度ＲＲを求めるための処理である優先度演算処理を行う（ステップＳ１０４）。
【００８１】
図１１は、優先度演算処理の手順を示したフローチャートである。
通信処理装置２５は、まず、待機パラメータＰｔを初期値としての「０」に設定する（ステップＳ２０１）。これによって、送信元としての路側通信機２が路路間通信パケットを生成したときに、待機パラメータＰｔは、初期値として「０」に設定される。
【００８２】
次いで、通信処理装置２５は、この路路間通信パケットの通信経路を特定し、その通信経路に対応付けられている優先度パラメータＰｇｄを取得する（ステップＳ２０２）。
通信処理装置２５は、送信元は自機であるので、本パケットの送信先から、通信経路を特定し、その通信経路に対応付けられている優先度パラメータＰｇｄを取得する。
【００８３】
次いで、通信処理装置２５は、この路路間通信パケットのデータ種別が「平常」であるか否かを判断する（ステップＳ２０３）。データ種別が「平常」である場合、通信処理装置２５は、属性パラメータＰｄａｔａを「０」に設定する（ステップＳ２０４）。
一方、データ種別が「緊急」である場合、通信処理装置２５は、属性パラメータＰｄａｔａを例えば「１００」に設定する（ステップＳ２０５）。このように、平常の場合、数値を加算せず、緊急の場合、属性パラメータＰｄａｔａとして他のパラメータと比較して極端に大きい数値を加算することで、送信優先度ＲＲの値を極端に大きく調整することができる。この結果、「緊急」であるデータ種別の情報を、他の情報に対して最優先で送信させることができる。このように、データ本体に格納されている情報の属性として設定される緊急度に応じて送信優先度ＲＲを調整することができる。
【００８４】
なお、属性パラメータＰｄａｔａは、データ本体に格納されている情報の属性として設定されたものであり、情報内容が特別な場合に加算されるものである。また、待機パラメータＰｔは、路路間通信パケットの送信待ちの待機状態の継続状況に応じて定まる値である。つまり、これらパラメータは、送信優先度ＲＲを、通信経路以外の要因で優先度を調整するためのパラメータである。
よって、送信優先度ＲＲは、主に、対象となる路路間通信パケットの通信経路に応じて設定された優先度パラメータＰｇｄに基づいて定められる。
また、優先度パラメータＰｇｄは、送信元及び送信先に応じて、適切な優先順位となるように予め設定されている。したがって、送信優先度ＲＲは、路路間通信パケットの送信元及び送信先に応じて決定される。
【００８５】
その後、通信処理装置２５は、ステップＳ２０６において、送信優先度ＲＲを演算により求め（ステップＳ２０６）、優先度演算処理を終える。
以上のようにして、本実施形態の通信処理装置２５は、上記優先度演算処理によって、送信優先度ＲＲを求め、決定する。
【００８６】
本実施形態では、通信処理装置２５が、自機が関連する通信経路を記憶部２４に記憶しているので、複数の路路間通信パケットを送信する場合においても、経路探索することなく速やかに通信経路を特定することができ、各通信経路に応じた適切な送信優先度ＲＲを設定するとができる。
【００８７】
図１０に戻って、優先度演算処理を終えて送信優先度ＲＲを求めた通信処理装置２５は、生成した路路間通信パケットを送信待ちの待機状態とし（ステップＳ１０５）、処理を終える。
送信待ちの待機状態とされた上記路路間通信パケットは、図９にて示した送信処理によって、送信優先度ＲＲに基づいて送信される。
【００８８】
次に、各路側通信機２（図８中、ＩＤ＝１０２の路側通信機２）が、他の路側通信機２が送信元でかつさらに他の路側通信機２が送信先である路路間通信パケットを受信する際の受信処理について説明する。
【００８９】
〔４．３  受信処理について〕
図１２は、路側通信機２の通信処理装置２５による、受信処理の手順を示したフローチャートである。
通信処理装置２５は、他の路側通信機２からのデータ（パケット）を受信すると、まず、この受信パケットが、路路間通信パケットであるか否かを判断する（ステップＳ３０１）。路路間通信パケットであるか否かの判断は、受信パケットのヘッダに格納されている送信先のＩＤを取得することで行われる。
通信処理装置２５は、自機が属しているサブエリアを構成する路側通信機２のＩＤを記憶している。通信処理装置２５は、送信先のＩＤが記憶している路側通信機２のＩＤでない場合には、受信パケットが路車間通信パケットと判断し、送信先のＩＤが記憶している路側通信機２のＩＤである場合には、受信パケットが路路間通信パケットと判断する。
【００９０】
ステップＳ３０１において、受信パケットが、路車間通信のパケットであると判断した場合、通信処理装置２５は、路車間通信に関する処理を行い（ステップＳ３０２）、処理を終える。
受信パケットが、路路間通信パケットであると判断した場合、通信処理装置２５は、その受信パケットの送信先が自機であるか否かを判断する（ステップＳ３０３）。通信処理装置２５は、上記送信先のＩＤにより当該パケットの送信先が自機であるか否かを判断する。
受信パケットの送信先が自機である場合、通信処理装置２５は、そのパケット内のデータを取得し（ステップＳ３０４）、処理を終える。
【００９１】
一方、受信パケットの送信先が自機以外の他の路側通信機２の場合、通信処理装置２５は、ステップＳ３０５に進み、受信パケットの通信経路が自機と関連する通信経路か否かを判断する（ステップＳ３０５）。
通信処理装置２５は、受信パケットのヘッダから送信元ＩＤ及び転送先ＩＤをさらに取得して、受信パケットの通信経路を特定する。そして、通信処理装置２５は、自機が記憶部２４に記憶している、自機が関連する通信経路を参照し、受信パケットの通信経路と一致する通信経路の有無を確認する。
【００９２】
自機が記憶している通信経路の中に、受信パケットの通信経路と一致するものが無い場合、通信処理装置２５は、受信パケットの通信経路が自機に関連するものではないとして、当該受信パケットを破棄する（ステップＳ３０６）。
一方、受信パケットの通信経路と一致するものが有る場合、通信処理装置２５は、受信パケットの通信経路が自機に関連する通信経路と判断する。
【００９３】
受信パケットが自機に関連する通信経路と判断すると、通信処理装置２５は、優先度演算処理を行い（ステップＳ３０７）、当該受信パケットの送信優先度ＲＲを求め、決定する。
【００９４】
このように、本実施形態では、通信処理装置２５が、自機が関連する通信経路を記憶部２４に記憶しているので、他の路側通信機２が送信先である路路間通信パケットを中継送信する場合においても、経路探索することなく速やかに通信経路を特定することができ、各通信経路に応じた適切な送信優先度ＲＲを設定することができる。なお、優先度演算処理については、上述した通りであり、説明を省略する。
【００９５】
受信パケットについての送信優先度ＲＲを求めた通信処理装置２５は、この受信パケットを路路間通信パケットとして、送信待ちの待機状態とし（ステップＳ３０８）、処理を終える。
送信待ちの待機状態とされた受信パケットは、図９にて示した送信処理によって、送信優先度ＲＲに基づいて送信される。
【００９６】
なお、上記受信処理において、数多くのパケットについて受信処理する必要が生じ処理負荷が大きくなると、受信処理に遅延が生じるおそれがある。
そこで、処理対象のパケットをアプリケーションデータにまで展開する前に、当該パケットの処理を可能とすることで、処理負荷に起因する受信処理の遅延を抑制することができる。
【００９７】
具体的に、以下の処理を行わせるように通信処理装置２５を構成すればよい。すなわち、通信処理装置２５は、処理対象のパケットをアプリケーションデータにまで展開する前に、拡張層（Extended Layer）に関するヘッダに格納されている「Base Station ID」を取得する（なお、拡張層（Extended Layer）、及び「Base Station ID」については、「ＩＴＳ情報通信システム推進会議、”７００ＭＨｚ帯高度道路交通システム拡張機能ガイドライン  ＩＴＳ  ＦＯＲＵＭ  ＲＣ−０１０  １．０版”」を参照）。
そして、通信処理装置２５は、自機が関連する通信経路情報として記憶部２４に記憶されている、その通信経路に関する送信元ＩＤ、送信先ＩＤ、及び転送先ＩＤと、取得した「Base Station ID」に示されるＩＤとが一致するか否かを判断する。
【００９８】
「Base Station ID」が、通信経路情報に示されるいずれかのＩＤと一致する場合、通信処理装置２５は、自機が関連する通信経路と関係のある路側通信機２からのパケットであるとしてそのまま、通常の処理を実行する。
一方、「Base Station ID」が、通信経路情報に示されるいずれのＩＤとも一致しない場合、通信処理装置２５は、自機とは関係のないパケットとして破棄する。
これによって、自機とは関係のないパケットについては、アプリケーションデータにまで展開する前に破棄することができるので、処理負荷を軽減でき、受信処理の遅延を抑制することができる。
【００９９】
また、他の方法としては、レイヤ７（アプリケーション層）に関するヘッダに格納されるアプリケーション関連情報に当該パケットの送信先ＩＤを格納しておく。そして、アプリケーション関連情報に格納される送信先ＩＤを、通信処理装置２５に参照させ、参照した送信先ＩＤが自機でない場合には、そのパケットを統合、デコード処理しないでそのまま転送（中継）するように構成してもよい。
この場合も、不必要に、パケットをアプリケーションデータにまで展開することなく処理することができるので、処理負荷を軽減でき、受信処理の遅延を抑制することができる。
【０１００】
〔５．  効果について〕
本実施形態のシステムは、複数の路側通信機２を備えている。これら複数の路側通信機２は、互いの路路間通信パケットを送受信することで、中継可能に路路間通信を行う通信処理装置２５を備え、この通信処理装置２５は、路路間通信において自機が送信すべき複数の路路間通信パケットそれぞれの送信優先度ＲＲに基づいて、各路路間通信パケットを送信する。また、通信処理装置２５は、各路路間通信パケットの送信元及び送信先に応じて、各路路間通信パケットそれぞれの送信優先度ＲＲを決定する。
【０１０１】
上記構成のシステムによれば、通信処理装置２５が、路路間通信パケットの送信元及び送信先に応じて、各路路間通信パケットそれぞれの送信優先度ＲＲを決定するとともに、送信元及び送信先の組み合わせ及びこれらに対応する適切な送信優先度ＲＲを求めるための優先度パラメータＰｇｄを記憶しているので、経路探索することなく速やかに通信経路を特定でき、各通信経路に応じた適切な送信優先度ＲＲを設定することができる。この結果、経路探索のための遅延や、経路管理のための通信リソースの消費を抑制することができ、通信リソースを有効利用しつつ速やかに適切な路路間通信を行うことができる。
【０１０２】
また、本実施形態において、図８に示すように、重要交差点Ａ３に配置されたオンライン路側通信機２ａが送信元又は送信先となっている通信経路については、他の通信経路に対する相対的な優先順位が、オンライン路側通信機２ａが含まれない通信経路１００−１０１、及び通信経路１０１−１００よりも高く設定されているので、通信処理装置２５がこれら通信経路に対して決定する送信優先度ＲＲについても、重要交差点Ａ３に配置されたオンライン路側通信機２ａが送信元又は送信先となっている通信経路がより高く設定される。
したがって、重要交差点に設置されたオンライン路側通信機２ａ（又は中央装置４に有線通信可能に接続されたオンライン路側通信機２ａ）に関連して送信されるシステムの管理情報等、重要度の高い路路間通信パケットを、他の路路間通信パケットよりも優先的に送信することができる。
【０１０３】
〔６．  その他〕
なお、本発明は、上記実施形態に限定されるものではない。例えば、路路間通信パケットのデータ種別の領域に格納される情報である属性情報として、本実施形態では、データ本体に格納される情報の緊急度を示すために、「平常」と、「緊急」の２種類の情報を格納する場合を示したが、より詳細に緊急度を示すために、緊急度を数値で表し、その数値に応じて、属性パラメータＰｄａｔａを調整するように構成してもよい。
また、属性情報としては、緊急度に代えて、データ本体に格納される情報の重要度を示す情報とすることもできる。
【０１０４】
また、送信優先度ＲＲを求めるための各パラメータの数値は、各パラメータ毎の寄与度を調整するために適宜することができる。例えば、通信経路の優先度を示す優先度パラメータＰｇｄは、本実施形態では、３段階の数値、「１」，「２」，「３」と設定したが、より多段に設定してもよいし、他のパラメータよりもより寄与度を高めるために、各数値それぞれを増加させるための係数を乗算又は加算してもよい。
【０１０５】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１０６】
２  路側通信機
２ａ  オンライン路側通信機
２ｂ  スタンドアローン路側通信機
３  車載通信機
４  中央装置
５  車両
２３  制御部
２４  記憶部
２５  通信処理装置
【図１】
2014078119.tif 000003
【図２】
2014078119.tif 000004
【図３】
2014078119.tif 000005
【図４】
2014078119.tif 000006
【図５】
2014078119.tif 000007
【図６】
2014078119.tif 000008
【図７】
2014078119.tif 000009
【図８】
2014078119.tif 000010
【図９】
2014078119.tif 000011
【図１０】
2014078119.tif 000012
【図１１】
2014078119.tif 000013
【図１２】
2014078119.tif 000014